(57)【特許請求の範囲】
【請求項１】
テンターにより緊張移送される布帛面に向けて、圧力エアーを吹き出す吹出し口と、該吹出し口が中央に連通し、前記布帛面に対して凹形状に形成された、前記吹出し口より大径の受圧口とを有する測定ヘッドと、
該測定ヘッドから圧力エアーを吹き出させるための送風機と、
前記吹出し口から前記布帛面に吹き付けて跳ね返ったエアーを、前記受圧口が受けることにより生じるエアーの吹出し負荷量を表示するエア流量計とを有し、
該エア流量計による流量指示値で布帛の緊張の度合を検出することを特徴とする布帛の緊張力検出装置。
【請求項２】
布帛の緊張幅を調整することができるテンション調整機構を具備せしめたテンターにおいて、
該テンターにより緊張移送される布帛面に向けて、圧力エアーを吹き出す吹出し口と、該吹出し口が中央に連通し、前記布帛面に対して凹形状に形成された、前記吹出し口より大径の受圧口とを有する測定ヘッドと、
該測定ヘッドから圧力エアーを吹き出させるための送風機と、
前記吹出し口から前記布帛面に吹き付けて跳ね返ったエアーを、前記受圧口が受けることにより生じるエアーの吹出し負荷量を表示するエア流量計とを有し、
該エア流量計による流量指示値を基にして、上記テンション調整機構を駆動制御することを特徴とする布帛の緊張力制御装置。
【発明の詳細な説明】
【０００１】
【発明の属する属する技術分野】
本発明は、テンターにより緊張移送される布帛の緊張の度合を検出する布帛の緊張力検出装置に関するものである。
【０００２】
【従来の技術】
例えば、繊維加工業界においては、紡績工場で生産された織物、編物等の長尺布帛の原反を基にして、前処理さらには後処理することが通例であって、その後処理には、シルケット加工、セット加工等が挙げられる。そしてそれらのシルケット加工及びセット加工等を行なうには、一般的に布帛の幅方向を緊張させながら布帛を移送するテンターが使用される。
【０００３】
上記テンターには、代表的なものとして、クリップテンター、ピンテンターが周知であって、そのクリップテンター又はピンテンターは、チェーンホイールに掛けられて回動する左右２条のエンドレスチェーンを有し、さらにこのチェーンの長手方向に沿って、クリップ又はピンシートが一定間隔で取付けられており、処理すべき布帛の両側端縁を、上記左右２条のチェーンに取付けられているクリップ又はピンシートに係止せしめながら、そのチェーンの動作に追従して布帛を移送することにより、該移送布帛は、幅方向に緊張されながら連続的に移送されるものである。
【０００４】
このように、上記テンターを用いて処理すべき布帛に幅方向の緊張力を与えながら、移送する過程で、その緊張布帛に処理液、熱液、又は洗浄液等を付与せしめることにより所望の処理加工を行なうことができるが、そのテンターにより緊張移送される布帛の厚さ、及び重量は多種多様であって、いずれの布帛も均一なテンションで移送させることは困難である。
【０００５】
つまり薄手軽量布帛では、比較的弱い緊張付与力で布帛を有効に緊張させることができるが、例えば厚手の重量布帛では、比較的強力な緊張付与力でなければ有効に緊張させることができない。このために、従来のテンターにあっては、上記布帛への緊張付与力を加減（制御）させることができる制御機構を有している。
【０００６】
【発明が解決しようとする課題】
ところが、上記緊張付与力の制御機構で移送する布帛の緊張力を調整することは可能であっても、制御機構による布帛への緊張付与力が適切であるか否かの判断を機械的あるいは電気的に検知することは困難であったため、従来においては移送される布帛の緊張の度合を作業者の触感に頼らざるを得なかった。
【０００７】
布帛の緊張の度合を作業者の触感で検知する場合、高度な熟練と豊富な経験を要することから、現在のように熟練者及び経験者が不足している現状では移送される布帛の緊張度を適格に検知することが不可能であって、機械的又は電気的に布帛の緊張度を検出することの装置の開発が要求されていた。
【０００８】
本発明はかかる要求に答えるためになされたものである。つまり本発明では、テンターにより緊張移送される布帛の表面に風圧を作用せしめ、その風圧の布帛表面での反撥力を基にして布帛の緊張の度合を検知することができる布帛緊張力検出装置の提供を目的とする。
【０００９】
上記目的を達成するために、本発明の請求項１では、テンターにより緊張移送される布帛面に向けて、圧力エアーを吹き出す吹出し口と、該吹出し口が中央に連通し、布帛面に対して凹形状に形成された、吹出し口より大径の受圧口とを有する測定ヘッドと、該測定ヘッドから圧力エアーを吹き出させるための送風機と、吹出し口から布帛面に吹き付けて跳ね返ったエアーを、受圧口が受けることにより生じるエアーの吹出し負荷量を表示するエア流量計とを有し、該エア流量計による流量指示値で布帛の緊張の度合を検出する布帛緊張力検出装置であることを特徴としている。
【００１０】
また本発明の請求項２では、布帛の緊張幅を調整することができるテンション調整機構を具備せしめたテンターにおいて、該テンターにより緊張移送される布帛面に向けて、圧力エアーを吹き出す吹出し口と、該吹出し口が中央に連通し、布帛面に対して凹形状に形成された、吹出し口より大径の受圧口とを有する測定ヘッドと、該測定ヘッドから圧力エアーを吹き出させるための送風機と、吹出し口から布帛面に吹き付けて跳ね返ったエアーを、受圧口が受けることにより生じるエアーの吹出し負荷量を表示するエア流量計とを有し、該エア流量計による流量指示値に基にして、上記テンション調整機構を駆動制御する布帛の緊張力制御装置であることを特徴としている。
【００１１】
【発明の実施の形態】
以下に本発明を図面に示す実施の形態に基いて詳細に説明する。
【００１２】
先ず図１において、１は長尺布帛２をその幅方向へ緊張させながら連続的に移送せしめるためのテンターであって、このテンター１は、周知構造のものを選択使用することができ、また本発明の要旨ではないので、具体的説明を省くが、概略構造はフレーム３によって横方向（紙面方向）へ延びる２条のガイドレール４が左右に隔設されており、それらのガイドレール４には、クリップ又はピン等からなる多数個の布帛掛止手段５を長手方向に配設してなるエンドレスのチェーン６が回動可能に支持されている。
【００１３】
そして処理すべき長尺布帛の幅方向両側辺縁が布帛掛止手段５により掛止されて、左右両側のチェーン６の回動に追従して移送され、さらにその移送進行される長尺布帛２を掛止している左右両側チェーン６の相互間隔が、不図示のテンション調整機構により調整されることにより、移送される布帛２に、所望のテンションを作用させることができる。
【００１４】
７はフレーム３によって保持されている測定ヘッドであって、この測定ヘッド７は、テンターにより緊張移送される布帛２の上面略中央部で、その布帛２に近設位置される。この測定ヘッド７の構成は図２で示すように、例えば直径が約３０ｍｍであるエア吹出口７Ａと、このエア吹出口７Ａの外側に形成され、かつ口径が約２００ｍｍである受圧口７Ｂを有している。
【００１５】
８は上記測定ヘッド７のエア吹出口７Ａからエアーを吹き出させるためのエア源となる送風機、９はエア流量計であって、このエア流量計９の構成は図３で示すように、鉛直に位置されるテーパ管９Ａの内部に、エアーの圧力を受けて自由に上下動するフロート９Ｂを内装したものであって、そのテーパ管９Ａの上下両端開口部から作用するエアの差圧によりフロート９Ｂが変動し、この変動位置を目盛９Ｃにより読みとることができるようになっている。つまりフロート９Ｂは、テーパ管の上下開口部から作用するエア圧を受けて上下動し、そのテーパ管９Ａ内における有効重量と平衡する位置で静止する。このフロートの静止した位置を検出して、布帛の緊張度合を検出しようとするものである。
【００１６】
１０は、送風機８のエア送出管１１に接続されている流量調整弁であって、この流量調整弁１０の出口側は感度調整絞り弁１２と、上記テーパ管９Ａの下側開口のそれぞれに分岐接続されている。感度調整絞り弁１２の出口側は上記テーパ管９Ａの上側開口と、測定ヘッド７及び零点調整絞り弁それぞれに分岐接続されている。
【００１７】
以上が構成説明であるが、次にその作用について説明する。先ずはテンター１を動作させ長尺布帛２を所定の緊張状態で移送させると同時に送風機８を駆動して、この送風機８により発生したエアを、流量調整弁１０及び感度調整絞り弁１２を経て、測定ヘッド７より布帛１の上面に向けて吹き付ける。
【００１８】
このとき、布帛１の緊張の程度によって測定ヘッド７の受圧口７Ｂが受ける布帛面での跳ね返りエア圧が変化する。即ち、移送される布帛の厚さ、糸の打込み本数等によって受圧口７Ｂで受ける跳ね返りエア圧が異るが、今、布帛の厚さ、糸の打込み本数が一定であると仮定したときに、その布帛２の緊張力（テンション）が弱いと測定ヘッド７から吹き出されるエア圧により測定ヘッドの受圧口７Ｂと、布帛２上面との間の隙間が大きくなり、これにより測定ヘッド７からのエアーの漏れ量が多くなる。またそれとは逆に布帛２の緊張力が強いと、測定ヘッド７からの吹出圧力があっても、その受圧口７Ｂと布帛２上面との間の隙間が広げられず、測定ヘッド７からのエアーの漏水量が少なくなる。
【００１９】
このように、布帛２の緊張力の変化によって変動する測定ヘッド７からのエアーの漏出量を、エア流量計９で測定することにより布帛２緊張力の程度を検知することができる。つまり、零点調整絞り弁１３及び感度調整絞り弁１２を操作して、エア流量計９内におけるテーパ管９Ａ内のフロート９Ｂが、上下方向中間位置（零位置）で均衡が保たれるようにフロート位置を基準位置に調整した上で布帛のテンション測定を開始する。そこで布帛２の緊張力が弱くエア圧力により布帛にたるみが生じやすくなると、測定ヘッド７からのエア漏れ量が多くなり、エア流量計９におけるテーパ管９Ａ内のフロート９Ｂ上側の気圧が低下し、このためにフロート９Ｂが上昇する。
【００２０】
これとは逆に布帛２の緊張力が強く、布帛にたるみが生じにくくなると、測定ヘッド７からのエア漏れ量が少なくなり、エア流量計９におけるテーパ管９Ａ内のフロート９Ｂ上側の気圧が上昇し、このためにフロート９Ｂが下降する。このようなフロート９Ｂの上下動作によりテンター１により緊張移送される布帛の緊張の度合を数値として検知することができる。
【００２１】
上記したようにテンター１により移送する処理布帛２の品質には多種多様のものがあり、厚さ、糸の打込み数等の違いにより、エアの透過跳ね返りが様々である。このようなとき、感度調整絞り弁１２及び流量調整弁１０を操作調整することで、各種布帛のテンター１による移送時の緊張力の度合を有効に知ることができる。
【００２２】
また上記エア流量計９によるフロート９Ｂの上下位置を、公知の適宜センサーを用いて検出し、この検出値でテンター１の両側チェーン相互間を調整するテンション調整機構を動作させれば、テンター１により移送される布帛のテンションを自動的に制御することができる。
【００２３】
【発明の効果】
以上のように本発明の布帛緊張力検出装置によれば、テンターにより緊張移送される布帛の緊張の度合、つまり布帛の幅方向テンションの強弱を検出することができる。またこの布帛緊張力検出装置を用いることでテンターによって移送される布帛の緊張の度合を自動的に制御することもできるという作用効果を奏する。
【図面の簡単な説明】
【図１】本発明よりなる布帛緊張力検出装置の実施の形態を示した説明図。
【図２】本発明よりなる布帛緊張力検出装置に用いられる測定ヘッドの説明図。
【図３】本発明よりなる布帛緊張力検出装置に用いられるエア流量計の説明図。
【符号の説明】
１…テンター
２…長尺布帛
３…フレーム
４…ガイドレール
５…布帛掛止手段
６…チェーン
７…測定ヘッド
８…送風機
９…エア流量計
１０…流量調整弁
１１…エア送出管
１２…感度調整絞り弁
１３…零点調整絞り弁
【図２】
0004014746.tif 000002
【図３】
0004014746.tif 000003
【図１】
0004014746.tif 000004